(57)【要約】【課題】書物の電子データ化を短時間で実施する。【解決手段】書物電子化装置（１００）は、紙の種類と紙がエネルギー線を吸収し得るエネルギー線の物性値とを対応させて格納可能なテーブル（１）と、入力された紙の種類に対応するエネルギー線の物性値を前記テーブルから取得する取得部（２）と、取得された前記物性値を有するエネルギー線で書物を撮像することによって、前記書物の三次元データを取得する撮像部と、を備えている。【選択図】図１
2020003224.tif 000002
【特許請求の範囲】
【請求項１】
紙の種類と前記紙がエネルギー線を吸収し得るエネルギー線の物性値とを対応させて格納可能なテーブルと、
入力された紙の種類に対応するエネルギー線の物性値を前記テーブルから取得する取得部と、
取得された前記物性値を有するエネルギー線で書物を撮像することによって、前記書物の三次元データを取得する撮像部と、を備えていることを特徴とする書物電子化装置。
【請求項２】
前記書物にエネルギー線を照射し、検出して前記書物の紙のエネルギー線の物性値を検出する検出部をさらに備えていることを特徴とする請求項１に記載の書物電子化装置。
【請求項３】
前記検出部が検出したエネルギー線の物性値を前記書物の紙の情報と対応させて前記テーブルに書き込むデータ書き込み部をさらに備えていることを特徴とする請求項２に記載の書物電子化装置。
【請求項４】
前記書物の前記三次元データから前記書物の二次元データを作成するデータ作成部をさらに備えていることを特徴とする請求項１〜３のいずれか１項に記載の書物電子化装置。
【請求項５】
前記エネルギー線がＸ線であることを特徴とする請求項１〜４のいずれか１項に記載の書物電子化装置。
【請求項６】
前記物性値は前記エネルギー線の波長であり、
当該波長は、前記エネルギー線が前記紙に吸収される吸収度を最も高くするピーク吸収波長であることを特徴とする請求項１〜５のいずれか１項に記載の書物電子化装置。
【請求項７】
入力された紙の種類に対応する、前記紙がエネルギー線を吸収し得るエネルギー線の物性値を、紙の種類と前記紙におけるエネルギー線の物性値とを対応させて格納可能なテーブルから取得する工程と、
取得した物性値を有するエネルギー線で書物を撮像することによって前記書物の三次元データを取得する工程と、を含むことを特徴とする書物電子化方法。
【発明の詳細な説明】
【技術分野】
【０００１】
本発明は、書物電子化装置および書物電子化方法に関する。
【背景技術】
【０００２】
書物の保存または利用の観点から、書物の電子データ化が求められている。書物は、開くことで傷むことがあるので、書物を開かずに実施可能な書物の電子データ化が求められている。
【０００３】
当該電子データ化の技術には、Ｘ線の照射によって取得した書物の三次元データから上記書物のページに対応するページ領域を特定し、当該ページ領域における文字列または図形を二次元平面にマッピングする技術が知られている（例えば、特許文献１参照）。上記三次元データは、Ｘ線の検出位置と吸収強度との情報を有する、ノードとも呼ばれる点の集合である。
【０００４】
上記技術によれば、上記書物に書かれた文字列または図形を含む二次元のページデータが作成される。二次元のページのデータのそれぞれは、上記ノードのうちの所定の面上に配置されているノードによって構成される。
【先行技術文献】
【特許文献】
【０００５】
【特許文献１】国際公開第２０１７／１３１１８４号
【発明の概要】
【発明が解決しようとする課題】
【０００６】
上述のような従来技術において、三次元データを二次元ページデータに変換する際に、二次元平面上の紙のノードおよびインクのノードを含む、全てのノードデータについて、変換処理を行っていた。そのため、処理時間がかかる等の問題があった。
【０００７】
本発明の一態様は、短時間で実施可能な書物の電子データ化を実現することを目的とする。
【課題を解決するための手段】
【０００８】
上記の課題を解決するために、本発明の一態様に係る書物電子化装置は、紙の種類と前記紙がエネルギー線を吸収し得るエネルギー線の物性値とを対応させて格納可能なテーブルと、入力された紙の種類に対応するエネルギー線の物性値を前記テーブルから取得する取得部と、取得された前記物性値を有するエネルギー線で書物を撮像することによって、前記書物の三次元データを取得する撮像部と、を備えている。
【発明の効果】
【０００９】
本発明の一態様によれば、書物の電子データ化を短時間で実施することができる。
【図面の簡単な説明】
【００１０】
【図１】本発明の実施形態に係る書物電子化装置の構成を模式的に示す図である。
【図２】本発明の実施形態１に係る書物電子化装置のブロック図である。
【図３】本発明の実施形態１に係る書物電子化装置が書物の三次元データを作成するまでのフローチャートである。
【図４】本発明の実施形態１に係る書物電子化装置が書物の三次元データから二次元データを作成するまでのフローチャートである。
【図５】（ａ）は、本発明の実施形態１に係る書物電子化装置による二次元データからの文字認識の第一の状態を模式的に示す図であり、（ｂ）は、本発明の実施形態１に係る書物電子化装置による二次元データからの文字認識の第二の状態を模式的に示す図である。
【図６】本発明の実施形態２に係る書物電子化装置のブロック図である。
【図７】本発明の実施形態２に係る書物電子化装置が書物の三次元データを作成するまでのフローチャートである。
【発明を実施するための形態】
【００１１】
〔実施形態１〕
以下、本発明の一実施形態について、詳細に説明する。
【００１２】
［書物電子化装置の概略構成］
図１は、本発明の実施形態１に係る書物電子化装置１００の構成を模式的に示す図である。図２は、書物電子化装置１００のブロック図である。書物電子化装置１００は、図１に示されるように、撮像装置５０、表示部４および文字認識システム６０を有している。また、書物電子化装置１００は、図２に示されるように、テーブル１、取得部２、入力部３、表示部４、Ｘ線照射装置５、検出器６、位置指定部７、面特定部８およびデータ生成部９を含む。図２中、符号２０は、データ作成部を示し、符号３０は、制御ブロックを示している。
【００１３】
表示部４は、撮像装置５０における入力部３からの入力情報、検出器６の検出結果、データ生成部９で作成された二次元のデータなど、書物電子化装置１００の作業に関する情報を表示する。表示部４は、例えば液晶表示装置である。
【００１４】
文字認識システム６０は、入力された二次元のページデータから文字を認識可能なシステムである。文字認識システム６０は、例えば、インターネットに接続されたデータ処理装置で構成される。文字認識システム６０は、例えば、十分な処理能力を有するパーソナルコンピュータ（ＰＣ）によって構築することが可能である。
【００１５】
撮像装置５０は、書物へのエネルギー線であるＸ線の照射、検出およびそれに関する一連のデータ処理を行うように構成されている。
【００１６】
書物電子化装置１００において、表示部４と文字認識システム６０とは一体的に構成されている。一方で、撮像装置５０は、これらとはデータ通信可能に接続されており、例えば、図示するように、文字認識システム６０と接続されている。テーブル１、取得部２、入力部３、位置指定部７、面特定部８およびデータ生成部９は、図１中の文字認識システム６０に含まれる。Ｘ線照射装置５および検出器６は、図１中の撮像装置５０に含まれる。
【００１７】
テーブル１は、紙の種類と紙のＸ線の管電圧およびピーク吸収波長とを対応させて格納している。例えば、テーブル１は、表１に示されるように、印刷用紙（上質紙）、印刷用紙（再生紙）、葉書用紙、新聞紙およびトレーシングペーパーと、それに対応するＸ線の管電圧およびピーク吸収波長とをＸ線の物性値として格納している。テーブル１中の管電圧の範囲は、対応する紙を最も認識できるＸ線の管電圧の範囲を表している。テーブル１中のピーク吸収波長の範囲は、対応する紙が吸収するＸ線の波長のピークが含まれ得る範囲を表している。
【００１８】
紙の種類は、見た目で区別しやすいので特定することが可能である。インクの種類に対応するＸ線のピーク吸収波長（吸収波長のピーク値）は、印刷物中の上記紙へ種々の波長のＸ線を照射することによって特定することが可能である。ピーク吸収波長は、検出値の揺らぎ、例えば、Ｘ線の強度の差による若干のシフト、が考慮されてもよい。ピーク吸収波長は、それを代表する値であってよく、表１に記載されているような範囲であってもよいし、当該範囲の中央値であってもよい。
【００１９】
【表１】
2020003224.tif 000003
【００２０】
取得部２には、ユーザからの入力信号などの、入力部３からの入力信号を取得する。また、取得部２は、ユーザから入力された紙の種類に対応するＸ線の管電圧またはピーク吸収波長をテーブル１から取得する。さらに、取得部２は、後述する検出器６の検出値による書物の三次元データを取得する。一方で、取得部２は、テーブル１から取得したＸ線の管電圧またはピーク吸収波長をＸ線照射装置５へ出力する。また、取得部２は、検出器６からの上記三次元データなどの、取得部２が取得した情報を適宜に表示部４または位置指定部７に出力する。
【００２１】
入力部３は、取得部２への指示を入力するための装置である。入力部３は、例えば、ハードキーボードであってもよいし、ソフトキーボードであってもよい。
【００２２】
表示部４は、入力部３からの入力情報および後述の検出器６の検出結果、それによる書物の三次元データ、あるいはデータ生成部９で作成された二次元のデータなどの、書物電子化装置１００に関する情報を表示する。
【００２３】
Ｘ線照射装置５は、書物にＸ線を照射する。Ｘ線照射装置５は、例えば、Ｘ線照射の出力（波長）を調整可能に構成されており、所望の波長のＸ線を書物へ照射することが可能である。
【００２４】
検出器６は、書物に照射されたＸ線を検出する。検出器６は、Ｘ線の検出位置とその位置でのＸ線の強度とを含む検出値を取得するように構成されている。検出器６は、取得した検出値を三次元データとして取得部２に出力する。
【００２５】
このように、Ｘ線照射装置５、検出器６および取得部２は、管電圧またはピーク吸収波長を有するＸ線で書物を撮像することによって書物の三次元データを取得する撮像部を構成している。
【００２６】
位置指定部７は、三次元データのデータ値に基づき、ページ領域を特定するための初期点を指定する。ページ領域とは、三次元データのうちの、書物の各ページに対応する部分であり、当該各ページに対応するある面上に存在するノードの集合である。位置指定部７は、初期点の情報を面特定部８に出力する。
【００２７】
面特定部８は、指定された初期点に繋がるページ領域を特定する。面特定部８は、ページ領域に対応する点の集合、および各点のデータ値を、データ生成部９に出力する。
【００２８】
データ生成部９は、特定されたページ領域のデータを二次元の（平面の）ページデータに変換する。ページデータは、書物のページ内における複数の文字または図形の位置関係（文字などの配置）の情報を有する。
【００２９】
このように、位置指定部７、面特定部８およびデータ生成部９は、書物の三次元データから書物の二次元データを作成するデータ作成部２０を構成している。
【００３０】
［書物の電子化方法］
以下、本発明の一実施形態に係る書物電子化方法について説明する。実施形態１に係る書物電子化方法は、ユーザから入力された紙の種類に対応するＸ線の管電圧またはピーク吸収波長を取得する工程と、書物の三次元データを取得する工程とを含む。上記書物の電子化方法において、上記Ｘ線の管電圧またはピーク吸収波長は、テーブル１から取得される。上記三次元データは、テーブル１から取得した管電圧またはピーク吸収波長を有するＸ線で書物を撮像することによって取得される。
【００３１】
上記書物電子化方法は、前述した本実施形態の書物電子化装置を用いて実施することが可能である。図３は、本発明の実施形態１に係る書物電子化装置が書物の三次元データを作成するまでのフローチャートである。
【００３２】
まず、入力部３は、電子化対象の書物の紙の種類を指定する（ステップＳ１１）。紙の種類は、例えばユーザによって入力部３に入力される。入力部３は、指定された紙の種類の情報を取得部２に提供する。
【００３３】
取得部２は、指定された紙の種類の、Ｘ線の管電圧またはピーク吸収波長をテーブル１から取得する（ステップＳ１２）。このようにして、ユーザから入力された紙の種類に対応するＸ線のピーク吸収波長が、紙の種類および紙のＸ線の管電圧またはピーク吸収波長を対応させて格納しているテーブル１から取得される。当該管電圧またはピーク吸収波長は、紙の種類の指定により即時に取得される。
【００３４】
例えば、書物が印刷用紙（上質紙）を含む場合では、ユーザは「印刷用紙（上質紙）」を入力部３に入力する。入力部３から「印刷用紙（上質紙）」の情報が提供された取得部２は、印刷用紙（上質紙）に対応するＸ線の管電圧、３０〜５０ｋＶを、書物に照射すべきＸ線の管電圧としてテーブル１から取得する。この場合、取得部２は、例えば、上記範囲内の中心値（４０ｋＶ）を、照射すべきＸ線の管電圧として選択する。また、取得部２は、普通紙Ａに対応するＸ線の波長、０．０２５〜０．０４１ｎｍを、書物に照射すべきＸ線の波長としてテーブル１から取得する。この場合、取得部２は、例えば、上記範囲内の中心値（０．０３３ｎｍ）を、照射すべきＸ線の波長として選択する。
【００３５】
次いで、取得部２は、Ｘ線照射装置５に、取得した管電圧またはピーク吸収波長の波長を有するＸ線で書物を照射させ、検出器６によって当該Ｘ線を検出させる（ステップＳ１３）。Ｘ線照射装置５は、閉じたままの書物にＸ線を照射する。Ｘ線照射装置５から照射されたＸ線の一部は、書物中の紙によって吸収される。
【００３６】
検出器６は、書物を通過したＸ線の、特定の位置と強度とを含む検出値を検出し、取得部２に提供する。書物中の紙が存在する領域を通過したＸ線は、書物のインク付着部分を通過したＸ線よりも強い強度のＸ線として検出器６に検出される。上記検出値の集合は、このような強い強度のＸ線が検出された点を含む三次元データを構成する。当該三次元データは、インクや紙面の位置の情報と、当該位置におけるＸ線の強度の情報とを含むので、書物中の１ページの位置を示しており、取得部２は、このような三次元データを取得する。このようにして、テーブル１から取得した管電圧またはピーク吸収波長を有するＸ線で書物を撮像することによって、書物中の１ページの三次元データが取得される。取得部２は、三次元データを位置指定部７に提供する。
【００３７】
図４は、実施形態１に係る書物電子化装置が書物の三次元データから二次元データを作成するまでのフローチャートである。三次元データは、重なった複数のシート（媒体、例えば紙）と、シート同士の間の隙間（空気）と、シート上のインク（文字）との情報を、Ｘ線の検出位置とその強度として含んでいる。三次元データからの二次元データの作成は、例えば特許文献１に記載されているような公知の方法によって実施することが可能である。
【００３８】
位置指定部７は、三次元データにおいて、重なっている媒体の少なくとも一枚（書物が冊子であれば１ページ）と交差するように、線状の経路を指定する（ステップＳ２１）。当該経路は、例えば書物が冊子の場合では、書物の表紙と裏表紙とを貫通し、書物の全てのページと交差する直線である。
【００３９】
そして、位置指定部７は、上記経路上における、シートのデータ値と隙間のデータ値とを分ける閾値に対応する点をページ領域の初期点として指定する（ステップＳ２２）。位置指定部７は、例えば、複数のページ領域に対応する複数の初期点を指定する。位置指定部７は、初期点の情報を面特定部８に提供する。
【００４０】
面特定部８は、上記初期点から決まるページ領域の位置を特定する（ステップＳ２３）。ページ領域は、例えば、三次元データの直交座標中に、当該直交座標を構成する単位セルを横切るように配置されている。面特定部８は、例えば、ページ領域が横断する単位セルの辺において上記の閾値以上である点を上記ページ領域に対応する点とし、上記ページ領域を特定する。面特定部８は、特定したページ領域の情報をデータ生成部９に提供する。
【００４１】
データ生成部９は、ページ領域の各点のデータ値を二次元平面上にマッピングすることによってページデータを生成する（ステップＳ２４）。二次元のページデータの各点のデータ値は、概ねシートおよびインクのいずれかに対応する。マッピングの方法には、公知の方法（例えば、鞍点特徴を利用した三次元メッシュ展開など）が利用される。
【００４２】
［ページデータの文字認識］
以下、データ生成部９による二次元データからのページデータの文字認識について説明する。上記二次元データは、ある面上における単なるノードの集合、とも言える。データ生成部９は、当該ノードの集合を適当な文字として認識したときに、上記二次元データから、文字として適した形態に表示可能なデータを作成する。図５の（ａ）は、実施形態１に係る書物電子化装置１００による二次元データからの文字認識の第一の状態を模式的に示す図である。図５の（ｂ）は、当該書物電子化装置１００による二次元データからの文字認識の第二の状態を模式的に示す図である。
【００４３】
文字認識システム６０は、撮像装置５０（例えばデータ生成部９）から二次元データ（ページデータ）を受け取る。そして、当該ページデータ内の任意の１ページ分のデータを表示部４に表示する（図５の（ａ））。１ページ内に含まれる文字の数が少ないと、その後の文字認識の処理が難しくなることがある。円滑な文字認識の実現の観点から、１ページ分の文字データの割合は、当該１ページの面積の３０％程度であることが適当である。
【００４４】
ユーザは、表示された画面を確認し、必要に応じて、文字データの画面を回転させる（図５の（ｂ））。
【００４５】
次いで、ユーザは、表示されたデータの文字に関する情報を文字認識システム６０に入力する。当該情報とは、例えば、文字の方向（横書き、縦書き、左から読むか、右から読むかなど）と、文字の種類（アルファベット、アラビア文字、漢字など）、および、言語（英語、フランス語、日本語など）である。文字認識システム６０は、当該情報を参照して、文字認識を開始すべき第１番目の文字、認識方向および認識方法を決定する。
【００４６】
このように、上記ページデータは、書物のページ内における複数の文字または図形の位置関係（文字などの配置）の情報を有する。上記ページデータは、正確に特定されたページ領域に基づいて生成される。よって、当該ページデータ中にノイズが存在したとしても、当該ページデータ中の文字列などのイメージは、正確に識別され得る。それゆえ、書物電子化装置１００は、書物に描かれている文字列または図形の情報を上記ページデータから容易に取得する。したがって、書物電子化装置１００は、単独の文字だけでなく、書物に書かれた複数の文字によって構成される単語、または複数の当該単語によって構成される文を読み取ることができる。また、表示部４に表示されたページデータにおいて、ユーザは、文字列などを容易に識別することができる。
【００４７】
［撮像時間の短縮化についての説明］
書物電子化装置１００は、従来の書物電子化装置に比べて、書物のＸ線による撮像時間を短縮することが可能である。その理由を以下に説明する。
【００４８】
Ｘ線の透過画像は、Ｘ線の吸収度の差による濃淡を含む。Ｘ線は、木または紙にはほとんど吸収されずに透過するが、書物中のインクにはより吸収される。そこで、Ｘ線が紙を最も撮像しやすくするには、できるだけ紙に吸収されやすい波長等を物性値として選ぶ。また、ページデータには、Ｘ線の透過量の差が反映されている。紙とインクとのＸ線の透過量の差は、一般に、十分なコントラストが得られる程度に大きいことから、上記ページデータから当該ページデータ内の文字列が正確に読み出され得る。
【００４９】
紙のＸ線の吸収度は、Ｘ線の波長（強度）と被写体である紙の材料とによって決まる。照射するＸ線の波長が長すぎる（Ｘ線の強度が弱すぎる）と、インクと紙との間のＸ線の吸収の差が小さすぎ、上記コントラストが不十分となることがある。逆に、照射するＸ線の波長が短すぎる（Ｘ線の強度が強すぎる）と、Ｘ線が紙だけでなくインクも透過してしまうため、上記コントラストが不十分となることがある。このため、書物のインクと媒体（紙など）とのコントラストが十分に大きくなる強度（波長）のＸ線を照射することが重要である。一般に、紙に吸収されにくく、かつインクに最も吸収される管電圧または波長（ピーク吸収波長）のＸ線を照射することが、十分な上記コントラストを発現させる観点から好ましい。
【００５０】
また、紙のＸ線の吸収度を最も高くすることにより、紙の部分を最も明確に撮像することができる。この場合、Ｘ線の管電圧またはピーク波長は、紙のＸ線の吸収度が最も高くなる値に設定される。
【００５１】
十分なコントラストが得られるＸ線の管電圧または波長は、紙または書物に照射するＸ線の波長を徐々に変えた場合のＸ線の吸収度の結果（挙動）から決めることが可能である。ここで、「十分なコントラストが得られるＸ線の管電圧または波長」とは、例えば、紙が吸収するＸ線の波長のピークであり、「紙または書物に照射するＸ線の波長を徐々に変えた場合」とは、例えば、Ｘ線の強度を徐々に強くした場合である。しかしながら、一般に、照射するＸ線の強度の変更には時間がかかる。よって、Ｘ線の照射、検出による書物の電子データ化にも時間がかかる傾向にある。
【００５２】
実施形態１では、紙の種類と、紙にＸ線を照射したときの管電圧または波長と吸収度との関係（例えば、当該吸収度が最小になるＸ線の管電圧またはピーク吸収波長）が予め調べられており、紙の種類とその紙のＸ線の管電圧またはピーク吸収波長とがテーブルに格納されている。そして、例えば対象の書物が印刷用紙（上質紙）を含む場合では、書物電子化装置１００は、照射すべきＸ線として上記テーブルから管電圧が３０〜５０ｋＶであるＸ線を選び、書物に照射、検出して、書物の可視化（三次元データの取得）を行う。よって、書物電子化装置１００では、書物に照射すべきＸ線の管電圧または波長の調整を行う時間が短縮される。その結果、書物電子化装置１００は、上記ページデータの取得をより速く行うことができる。したがって、このページデータの集合としての書物の電子データの取得までに要する時間もより一層短縮される。
【００５３】
書物に記載された情報を電子化する際、例えば書物が古い文献であって、書物の記載内容を文字情報として抽出する方法だけではなく、例えばＰＤＦデータのような形態で１枚の紙（１ページ）の情報として抽出する方法もある。本実施形態は、このような後者の方法に適している。
【００５４】
〔実施形態２〕
本発明の他の実施形態について、以下に説明する。なお、説明の便宜上、上記実施形態にて説明した部材と同じ機能を有する部材については、同じ符号を付記し、その説明を繰り返さない。図６は、本発明の実施形態２に係る書物電子化装置２００のブロック図である。
【００５５】
書物電子化装置２００は、図６に示されるように、取得部２に代えて取得部１２を有し、ピーク検出部１３（検出部）さらに含む以外は、書物電子化装置１００と同じ構成を有している。ピーク検出部１３は、取得部１２に接続されている。ピーク検出部１３は、書物にエネルギー線であるＸ線を照射し、検出して書物の紙のエネルギー線の吸収波長を検出する吸収波長検出部に相当している。また、取得部１２は、吸収波長検出部が検出したエネルギー線の吸収波長を書物の紙の情報と対応させてテーブル１に書き込むデータ書き込み部をさらに兼ねている。
【００５６】
図７は、書物電子化装置２００が書物の三次元データを作成するまでのフローチャートである。
【００５７】
紙の種類が不明な場合、あるいは、紙の種類に対応するＸ線の吸収波長が不明な場合では、取得部１２は、ピーク検出部１３に、書物の紙におけるＸ線のピーク吸収波長の検出を指示する（ステップＳ３１）。当該指示は、ユーザの入力部３への入力による指示であってもよいし、テーブル１から取得すべきＸ線の波長のデータを取得できない場合に、取得部１２からピーク検出部１３に自動で出力される指示であってもよい。
【００５８】
次いで、ピーク検出部１３は、種々の波長のＸ線をＸ線照射装置５から照射させ、検出器６で検出させる（ステップＳ３２）。例えば、書物に照射するＸ線の波長を１００ｎｍから１ｐｍ（０．００１ｎｍ）まで徐々に短くしていき、検出器６における吸収強度を確認する。ピーク検出のために照射するＸ線の波長は、予め決められていてもよいし、検出結果に基づいてその都度決められてもよい。また、異なる波長のＸ線の照射は、公知の方法によって実施することが可能である。異なる波長のＸ線の照射は、例えばＸ線照射装置５の出力を調整することによって、あるいは所望の波長のＸ線を通過させる光学フィルタを介在させることによって、あるいは照射するＸ線の波長が異なる複数のＸ線照射装置を用いることによって、行うことが可能である。
【００５９】
次いで、ピーク検出部１３は、書物の紙のＸ線の吸収波長のピークを決定する（ステップＳ３３）。紙のピーク吸収波長は、検出結果におけるＸ線の吸収強度のピークそのものであってもよいし、検出した吸収波長のピークを含む特定の吸収度の範囲であってもよい。特定の吸収度とは、例えば、インクとの十分なコントラストが得られる吸収度以上の吸収度である。
【００６０】
紙の種類が不明であっても、その紙に対応するＸ線の吸収波長がテーブル１に格納されている場合では、ピーク検出部１３は、テーブル１に格納されているピーク吸収波長のデータから、書物に照射すべきＸ線のピーク吸収波長を決める。この場合では、ピーク検出部１３は、検出器６でのＸ線の検出結果とテーブル１中のＸ線のピーク吸収波長とを比較する。例えば、ピーク検出部１３は、０．０２０ｎｍ付近で吸収強度が最大であれば、書物中の紙は印刷用紙（再生紙）であると判断し、０．０１３ｎｍ付近で吸収波長が最大であれば、書物の紙は新聞紙であると判断する。ピーク検出部１３は、決定したピーク吸収波長を取得部１２に出力する。
【００６１】
取得部１２は、ピーク検出部１３で決定された波長のＸ線を、Ｘ線照射装置５から書物に照射させ、検出器６に検出させる（ステップＳ１３）。その結果、取得部１２は、前述した三次元データを取得する。また、取得部１２は、ピーク検出部１３で決定されたＸ線のピーク吸収波長を、紙の情報（例えば検出日時、試料番号など）と対応させてテーブル１に書き込む。テーブル１に書き込まれたこれらのデータは、それ以降の、同種の紙を含む書物の電子データ化の際に、予めテーブル１に格納されているデータとして、前述したようにＸ線のピーク吸収波長の決定に使用される。よって、同種の紙を含む書物の電子データ化にかかる時間を、次回から短縮することが可能となる。
【００６２】
上記のように紙の種類が不明である場合には、テーブル１にピーク吸収データを書き込むことで学習を行い、テーブル１を随時更新する。これにより、テーブル１の精度を高めることができる。
【００６３】
なお、本実施形態では、種類が不明な紙に対応するＸ線の吸収波長を決定することについて説明した。本実施形態では、これに限らず、種類が不明な紙に対応するＸ線の管電圧を決定してもよい。
【００６４】
〔変形例〕
書物は、媒体とそれに付着するインクとによって構成されていればよい。例えば、当該書物の形態は、冊子であってもよいし、巻物であってもよい。また、書物は、一枚の紙の印刷物であってもよいし、綴じられることなく積み重ねられた複数枚の紙の印刷物であってもよい。また、Ｘ線照射装置５においてＸ線が照射される際の書物の状態は、限定されず、前述したように閉じられた状態であってもよいし、開かれた状態であってもよい。
【００６５】
上記Ｘ線は、その吸収強度においてインクと紙（媒体）との間に十分なコントラストを有する範囲において、他のエネルギー線であってもよい。Ｘ線以外の当該エネルギー線の例には、紫外線および可視光が含まれる。
【００６６】
上記紙は、上記エネルギー線が透過可能であり、かつ当該エネルギー線の吸収強度がインクのそれに対して十分な差を有する範囲において、適宜に決めることが可能である。紙以外の当該媒体の例には、樹脂シートが含まれる。
【００６７】
入力部への紙の種類の入力は、ユーザからの入力でなくてもよい。例えば、入力部と通信可能な紙の分析装置から入力部へ提供される紙の種類の情報であってもよい。
【００６８】
テーブル１は、書物へのエネルギー線の照射に先立って紙の種類と当該紙のエネルギー線の管電圧または吸収波長とを対応させて格納可能であれば、これらのデータを常時格納していなくてもよい。例えば、テーブル１は、紙の種類とそのＸ線の管電圧またはピーク吸収波長との対応データを、紙の種類の入力時に通信によって入手し、格納するテーブルであってもよい。また、例えば、テーブル１は、入力される紙の色やメーカなどの、紙の属性の情報の入力によって、それに該当する、通信によって提供される対応データを格納するテーブルであってもよい。
【００６９】
また、書物に照射するエネルギー線の波長は、インクと紙との間に十分なコントラストを有する範囲において、適宜に決めることが可能である。例えば、書物に照射するエネルギー線の波長は、インクと紙との間のコントラストが十分に大きくなる（例えば当該コントラストが最大となる）波長であってもよい。
【００７０】
実施形態２においてテーブル１に書き込まれる紙の情報は、テーブル１に書き込むＸ線の管電圧または波長の情報との対応が明確な範囲において、適宜に決めることが可能である。このような紙の情報とは、例えば、紙の種類とそれに対応するＸ線の管電圧またはピーク吸収波長との対応が未知であった紙の情報である。テーブル１に書き込まれる紙の情報は、前述したように測定日時のように自動的に決まる情報であってもよいし、ユーザが入力部３を介して入力する情報（例えば、紙の種類、その紙を含む書籍の情報など）であってもよい。
【００７１】
〔ソフトウェアによる実現例〕
書物電子化装置１００、２００の制御ブロック３０（テーブル１、取得部２、１２、位置指定部７、面特定部８、データ生成部９およびピーク検出部１３）は、ハードウェアによって実現してもよいし、ソフトウェアによって実現してもよい。当該ハードウェアの例には、集積回路（ＩＣチップ）などに形成された論理回路が含まれる。また、書物電子化装置１００、２００におけるテーブル１、取得部２、１２、位置指定部７、面特定部８、データ生成部９およびピーク検出部１３は、別途設けられた制御部によって前述した機能を発現するように制御されてもよい。
【００７２】
上記のテーブル１等をソフトウェアによって実現する場合、書物電子化装置１００は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。
【００７３】
上記プロセッサとしては、例えばＣＰＵ（Central Processing Unit）を用いることができる。上記記録媒体としては、「一時的でない有形の媒体」、例えば、ＲＯＭ（Read Only Memory）などの他、テープ、ディスク、カード、半導体メモリ、プログラマブルな論
理回路などを用いることができる。また、上記プログラムを展開するＲＡＭ（Random Access Memory）などをさらに備えていてもよい。
【００７４】
また、上記プログラムは、該プログラムを伝送可能な任意の伝送媒体（通信ネットワークや放送波など）を介して上記コンピュータに供給されてもよい。
【００７５】
なお、本発明の一態様は、上記プログラムが電子的な伝送によって具現化された、搬送波に埋め込まれたデータ信号の形態でも実現され得る。
【００７６】
〔まとめ〕
本発明の態様１に係る書物電子化装置１００は、紙の種類と前記紙がエネルギー線を吸収し得るエネルギー線の物性値とを対応させて格納可能なテーブル１と、入力された紙の種類に対応するエネルギー線の物性値を前記テーブル１から取得する取得部２と、取得された前記物性値を有するエネルギー線で書物を撮像することによって、前記書物の三次元データを取得する撮像部（取得部２、Ｘ線照射装置５および検出器６）とを備えている。
【００７７】
上記の構成によれば、紙の種類の入力により照射すべきエネルギー線の物性値がテーブル１から読み出される。これにより、三次元データの大半を占める紙について、照射すべきエネルギー線の物性値を決定する時間を大幅に短縮することが可能である。よって、書物の電子データ化を短時間で実施することができる。
【００７８】
本発明の態様２に係る書物電子化装置１００は、上記態様１において、書物にエネルギー線を照射し、検出して書物のインクのエネルギー線の物性値を検出する検出部（ピーク検出部１３）をさらに含んでいてもよい。
【００７９】
上記の構成によれば、紙の種類とＸ線の未知の物性値との対応が未知である紙の物性値を検出することが可能となり、紙の種類およびそれに対応するＸ線の物性値の一方または両方が未知である書物の電子データ化をさらに行うことが可能となる。
【００８０】
本発明の態様３に係る書物電子化装置１００は、上記態様２において、前記検出部が検出したエネルギー線の物性値を前記書物の紙の情報と対応させて前記テーブル１に書き込むデータ書き込み部（取得部１２）をさらに含んでいてもよい。
【００８１】
上記の構成によれば、未知であった紙の種類とそれ対応するＸ線の物性値の組み合わせが、それ以降の当該紙を含む書物の電子データ化に適用される。よって、紙の種類または物性値が未知であった書物のそれ以降の電子データ化を短時間で実施することができる。
【００８２】
本発明の態様４に係る書物電子化装置１００は、上記態様１〜３において、書物の三次元データから書物の二次元データを作成するデータ作成部２０（位置指定部７、面特定部８およびデータ生成部９）をさらに含んでいてもよい。
【００８３】
上記の構成によれば、書物の内容を示す電子データ（書物が冊子であればページのデータ）を作成することができる。
【００８４】
本発明の態様５に係る書物電子化装置１００は、上記態様１〜４において、エネルギー線がＸ線であってもよい。
【００８５】
上記の構成によれば、紙を媒体とする一般の書物の電子データ化が可能である。
【００８６】
本発明の態様６に係る書物電子化装置１００は、上記態様１〜５のいずれかにおいて、前記物性値が前記エネルギー線の波長であり、当該波長が、前記エネルギー線が前記紙に吸収される吸収度を最も高くするピーク吸収波長であってもよい。
【００８７】
上記の構成によれば、Ｘ線によって紙の部分を最も明確に撮像することができる。
【００８８】
本発明の態様７に係る書物電子化方法は、入力された紙の種類に対応する、前記紙がエネルギー線を吸収し得るエネルギー線の物性値を、紙の種類と前記紙におけるエネルギー線の物性値とを対応させて格納可能なテーブルから取得する工程と、取得した物性値を有するエネルギー線で書物を撮像することによって前記書物の三次元データを取得する工程とを含む。
【００８９】
上記の構成によれば、態様１と同様の効果を奏する。
【００９０】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９１】
１  テーブル
２、１２  取得部
３  入力部
４  表示部
５  Ｘ線照射装置
６  検出器
７  位置指定部
８  面特定部
９  データ生成部
１３  ピーク検出部（検出部）
２０  データ作成部
３０  制御ブロック
５０  撮像装置
６０  文字認識システム
１００、２００  書物電子化装置
【図１】
2020003224.tif 000004
【図２】
2020003224.tif 000005
【図３】
2020003224.tif 000006
【図４】
2020003224.tif 000007
【図５】
2020003224.tif 000008
【図６】
2020003224.tif 000009
【図７】
2020003224.tif 000010